【手続補正書】
【提出日】平成16年12月20日(2004.12.20)
【手続補正１】
【補正対象書類名】明細書
【補正対象項目名】０００５
【補正方法】変更
【補正の内容】
【０００５】
【発明の実施の形態】
これを説明すると、（Ａ）熱可塑性樹脂は、成形可能な熱可塑性を有する有機樹脂であり、これには、一般に、熱可塑性樹脂と呼称されている有機樹脂および熱可塑性エラストマーと呼称されている有機樹脂が含まれる。このような熱可塑性樹脂の具体的例としては、ポリエチレン（ＰＥ）樹脂、低密度ポリエチレン（ＬＤＰＥ）樹脂、中密度ポリエチレン樹脂、高密度ポリエチレン（ＨＤＰＥ）樹脂、超高分子量ポリエチレン（ＵＨＭＰＥ）樹脂、エチレンとプロピレン,ブテン−１,ペンテン−１,ヘキセン−１,４−メチルペンテン−１,オクテン−１,デセン−１等の炭素数３〜１２のα−オレフィンとの共重合体、ポリプロピレン（ＰＰ）樹脂、プロピレンとブテン−１,ペンテン−１,ヘキセン−１,４−メチルペンテン−１,オクテン−１,デセン−１等の炭素数３〜１２のα−オレフィンとの共重合体、エチレン−プロピレン−ジエン共重合体、ポリメチルペンテン樹脂（ＭＰＸ），エチレン−メタアクリル酸エステル共重合体樹脂、エチレンと酢酸ビニル、マレイン酸、無水マレイン酸等のビニル系モノマーとの共重合体樹脂等のポリオレフィン系樹脂；ポリメチルメタアクリレート（ＰＭＭＡ）樹脂などのアクリル系樹脂；ポリスチレン（ＰＳ）樹脂、高衝撃性ポリスチレン（ＨＩＰＳ）樹脂、アクリロニトリル−ブタジエン−スチレン（ＡＢＳ）共重合体樹脂、アクリロニトリル−スチレン（ＡＳ）共重合体樹脂、アクリロニトリル−アクリルゴム−スチレン（ＡＡＳ）共重合体樹脂、アクリロニトリル−エチレンプロピレンゴム−スチレン（ＡＥＳ）共重合体樹脂などのスチレン系樹脂；ポリ酢酸ビニル樹脂、ポリ塩化ビニル（ＰＶＣ）樹脂、ポリ塩化ビニリデン（ＰＶＤＣ）樹脂、ポリビニルアルコール樹脂（ＰＶＡ）、ポリテトラフルオロエチレン樹脂（ＰＴＦＥ）などの他のビニル系樹脂；ポリブチレンテレフタレート（ＰＢＴ）樹脂、ポリエチレンテレフタレート（ＰＥＴ）樹脂などのポリエステル樹脂；ナイロン６、ナイロン６６、ナイロン６１０、ナイロン１１、ナイロン１２等のポリアミド樹脂；ポリアセタール（ＰＯＭ）等のポリオキシアルキレン樹脂；ポリカーボネート（ＰＣ）樹脂；変性ポリフェニレンエーテル（変性ＰＰＥ）樹脂；ポリ酢酸ビニル（ＰＶＡＣ）樹脂；ポリサルフォン（ＰＳＵ）樹脂、ポリエーテルサルフォン（ＰＥＳ）樹脂、ポリフェニレンサルファイド（ＰＰＳ）樹脂等のポリサルファイド系樹脂；ポリアレート（ＰＡＲ）樹脂；ポリアミドイミド（ＰＡＩ）樹脂；ポリエーテルイミド（ＰＥＩ）樹脂；ポリエーテルエーテルケトン（ＰＥＥＫ）樹脂；ポリイミド（ＰＩ）樹脂；液晶ポリエステル（ＬＣＰ）樹脂およびこれらの共重合体が挙げられる。また、一般に、熱可塑性エラストマーと呼称されているポリスチレン系樹脂、ポリオレフィン系樹脂、ポリエステル系樹脂、ポリウレタン系樹脂、ポリアミド系樹脂、ポリフッ素系樹脂、ポリ塩化ビニル系樹脂等も使用することもができる。これらの中でも、ポリカーボネート系樹脂、ポリオレフィン系樹脂、ポリスチレン系樹脂が好ましい。
【手続補正２】
【補正対象書類名】明細書
【補正対象項目名】００１０
【補正方法】変更
【補正の内容】
【００１０】
（ｂ）分子中にケイ素原子結合水素原子を含有するビニル系単量体の例としては、下記化学構造式（１）で示される化合物が挙げられる。
【化１】
2003192903.tif 000001
上式中、Ｒ1は炭素原子数１〜１０のアルキル基もしくはアリール基であり、アルキル基としては、メチル基、エチル基、プロピル基、ブチル基、ペンチル基、イソプロピル基、イソブチル基、シクロペンチル基、シクロヘキシル基が例示され、アリール基としては、フェニル基、ナフチル基が例示される。これらの中でもメチル基、フェニル基が好ましく、メチル基がさらに好ましい。また、Ｒ2は炭素原子数１〜１０のアルキル基もしくはアリール基、炭素数１〜１０アルコキシ基もしくはアリーロキシ基であり、アルキル基としては、メチル基、エチル基、プロピル基、ブチル基、ペンチル基、イソプロピル基、イソブチル基、シクロペンチル基、シクロヘキシル基が例示され、アリール基としては、フェニル基、ナフチル基が例示される。これらの中でもメチル基が好ましい。アルコキシ基としては、メトキシ基、エトキシ基、プロポキシ基、ペンチロキシ基、イソプロポキシ基、イソブトキシ基、シクロペンチロキシ基、シクロヘキシロキシ基が例示され、アリーロキシ基としては、フェノキシ基、ナフチロキシ基が例示される。これらの中でもメトキシ基が好ましい。また、分子鎖片末端にメタクリロキシ基、アクリロキシ基、スチリル基、アルケニル基等のラジカル重合性基を有し、側鎖または末端にケイ素原子結合水素原子を有するオルガノポリシロキサンが挙げられる。
【手続補正３】
【補正対象書類名】明細書
【補正対象項目名】００１１
【補正方法】変更
【補正の内容】
【００１１】
Ｘはラジカル重合可能な有機基であり、例えば、一般式：
【化２】
2003192903.tif 000002
または  
【化３】
2003192903.tif 000003
で示されるアクリル基もしくはメタクリル基含有有機基、
【化４】
一般式：
2003192903.tif 000004
で示されるスチリル基含有有機基または炭素原子数２〜１０のアルケニル基が挙げられる。上式中、Ｒ3およびＲ5は水素原子もしくはメチル基であり、Ｒ4およびＲ7は炭素原子数１〜１０のアルキレン基であり、Ｒ6は炭素原子数１〜１０のアルキル基である。ｅは０〜４の整数であり、ｆは０または１である。このようなラジカル重合可能な有機基としては、例えば、アクリロキシメチル基、３−アクリロキシプロピル基、メタクリロキシメチル基、３−メタクリロキシプロピル基、４−ビニルフェニル基、３−ビニルフェニル基、４−（２−プロペニル）フェニル基、３−（２−プロペニル）フェニル基、２−（４−ビニルフェニル）エチル基、２−（３−ビニルフェニル）エチル基、ビニル基、アリル基、メタリル基、５−ヘキセニル基が挙げられる。
ａは０を含まない３以下の整数で、ｂは０もしく３未満の整数であり、ｃは０もしくは３未満の整数であり、ａ＋ｂ＋ｃ＝３である。
【手続補正４】
【補正対象書類名】明細書
【補正対象項目名】００１２
【補正方法】変更
【補正の内容】
【００１２】
このような（ｂ）成分としては、下記化学構造式で示される化合物が例示される。式中、Ｍｅはメチル基である。
【化５】
2003192903.tif 000005
【化６】
2003192903.tif 000006
【化７】
2003192903.tif 000007
【化８】
2003192903.tif 000008
【化９】
2003192903.tif 000009
【化１０】
2003192903.tif 000010
【化１１】
2003192903.tif 000011
【化１２】
2003192903.tif 000012
【化１３】
2003192903.tif 000013
このような化合物は、従来周知の方法に従って製造することができる。また、分子鎖片末端にメタクリロキシ基、アクリロキシ基、スチリル基、アルケニル基等のラジカル重合性基を有し、側鎖または末端にケイ素原子結合水素原子を有するオルガノポリシロキサンが挙げられる。（ｂ）成分の量は、（a）成分と（ｂ）成分の合計量中、０．１〜１００重量％の範囲にあることが好ましく、１〜１００重量％の範囲にあることがより好ましい。
【手続補正５】
【補正対象書類名】明細書
【補正対象項目名】００１５
【補正方法】変更
【補正の内容】
【００１５】
このような（ｃ）成分としては、下記平均組成式で示される化合物が例示される。
【化１８】
2003192903.tif 000014
【化１９】
2003192903.tif 000015
【化２０】
2003192903.tif 000016
【化２１】
2003192903.tif 000017
【化２２】
2003192903.tif 000018
【化２３】
2003192903.tif 000019
【化２４】
2003192903.tif 000020
【化２５】
2003192903.tif 000021
（Ｂ）成分の配合量は、（Ａ）成分１００重量部に対して０．０１〜５０重量部であり、好ましくは、０．１〜２０重量部である。０．０１重量部未満では、その配合効果がなく、５０重量部を超えると、（Ａ）成分との混合物である熱可塑性樹脂組成物の溶融粘度が低下し、成形性を低下させるためである。